(57)【要約】【課題】使用者の顔サイズにかかわらずマスク本体が顔の目周りに対して適度にフィットしやすい構造の温熱具を提供する。【解決手段】温熱具１００は、両目を覆うマスク本体１０と、マスク本体１０に設けられた発熱体と、マスク本体１０を頭に装着するための装着部と、マスク本体１０の上下方向における中央部の横幅方向における伸展性を、マスク本体１０の上部及び下部の横幅方向における伸展性よりも高くする伸展構造部４０と、を備える。【選択図】図３
2018108199.tif 000002
【特許請求の範囲】
【請求項１】
両目を覆うマスク本体と、
前記マスク本体に設けられた発熱体と、
前記マスク本体を頭に装着するための装着部と、
前記マスク本体の上下方向における中央部の横幅方向における伸展性を、前記マスク本体の上部及び下部の横幅方向における伸展性よりも高くする伸展構造部と、
を備える温熱具。
【請求項２】
前記伸展構造部は、前記マスク本体に形成されていて当該マスク本体の外形線よりも内側に配置されている複数の開口又はひだを有する請求項１に記載の温熱具。
【請求項３】
前記伸展構造部は、前記マスク本体の上下方向における中央部に配置されている請求項１又は２に記載の温熱具。
【請求項４】
前記伸展構造部は、前記マスク本体の横幅方向における中央部に配置されている請求項１から３のいずれか一項に記載の温熱具。
【請求項５】
前記装着部は、前記マスク本体の横幅方向における両端部に対して各々の一端部が固定されていて耳に掛けられる一対の耳掛け部により構成されており、
前記マスク本体に対する前記耳掛け部の固定部の上下位置が、前記伸展構造部の上端と下端との間に配置されている請求項１から４のいずれか一項に記載の温熱具。
【請求項６】
前記装着部は、前記マスク本体の横幅方向における両端部に対して各々の一端部が固定されていて耳に掛けられる一対の耳掛け部により構成されており、
前記一対の耳掛け部の各々は、当該耳掛け部を耳に掛けるための耳掛け用開口を有し、
前記耳掛け用開口における前記マスク本体側の端の上下位置が、前記伸展構造部の上端と下端との間に配置されている請求項１から５のいずれか一項に記載の温熱具。
【発明の詳細な説明】
【技術分野】
【０００１】
本発明は、温熱具に関する。
【背景技術】
【０００２】
温熱具として、着用時に両目を覆うマスク本体と、マスク本体に設けられた発熱体と、マスク本体の横幅方向における両端部に設けられた一対の耳掛け部と、を備えるタイプのものがある（例えば特許文献１）。
この種の温熱具は、一対の耳掛け部を使用者の左右の耳のそれぞれに引っ掛けることによって着用することでき、当該温熱具の着用時には発熱体によって使用者の目周りを温めることができる。
【先行技術文献】
【特許文献】
【０００３】
【特許文献１】特開２００８−２９５７７９号公報
【発明の概要】
【発明が解決しようとする課題】
【０００４】
ところで、上述のような温熱具は、使用者の顔サイズにかかわらずマスク本体が顔の目周りに対して適度にフィットすることが好ましい。
しかしながら、本発明者等の検討によれば、特許文献１等の温熱具では、そのような要求に関し、なお改善の余地がある。
【０００５】
本発明は、上記の課題に鑑みてなされたものであり、使用者の顔サイズにかかわらずマスク本体が顔の目周りに対して適度にフィットしやすい構造の温熱具に関する。
【課題を解決するための手段】
【０００６】
本発明は、両目を覆うマスク本体と、
前記マスク本体に設けられた発熱体と、
前記マスク本体を頭に装着するための装着部と、
前記マスク本体の上下方向における中央部の横幅方向における伸展性を、前記マスク本体の上部及び下部の横幅方向における伸展性よりも高くする伸展構造部と、
を備える温熱具を提供する。
【発明の効果】
【０００７】
本発明によれば、使用者の顔サイズにかかわらずマスク本体が顔の目周りに対して適度にフィットしやすくなる。また、マスク本体と顔との間に適度な間隙が形成されるため、発熱体を安定的に発熱させることが可能となる。
【図面の簡単な説明】
【０００８】
【図１】第１実施形態に係る温熱具の平面図であり、耳掛け部を展開した状態を示す。
【図２】第１実施形態に係る温熱具の裏面図であり、耳掛け部を展開した状態を示す。
【図３】第１実施形態に係る温熱具の平面図であり、耳掛け部を展開する前の折り畳み状態を示す。
【図４】第１実施形態に係る温熱具の断面図である。
【図５】第１実施形態に係る温熱具を横幅方向に引っ張った状態を示す平面図である。
【図６】図６（ａ）及び図６（ｂ）は第１実施形態に係る温熱具の使用状態を示す模式図である。
【図７】図７（ａ）、図７（ｂ）、図７（ｃ）及び図７（ｄ）の各々は第１実施形態の変形例に係る温熱具のマスク本体を示す平面図である。
【図８】図８（ａ）、図８（ｂ）及び図８（ｃ）の各々は第１実施形態の変形例に係る温熱具のマスク本体を示す平面図である。
【図９】図９（ａ）及び図９（ｂ）の各々は第１実施形態の変形例に係る温熱具のマスク本体を示す平面図である。
【図１０】第２実施形態に係る温熱具の平面図であり、耳掛け部を展開した状態を示す。
【図１１】第３実施形態に係る温熱具の平面図であり、耳掛け部を展開した状態を示す。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１実施形態〕
先ず、図１から図６（ｂ）を用いて第１実施形態を説明する。
なお、図４に示す断面の位置は、図３に示すＡ−Ａ線の位置に相当する。ただし、図４では、図３とは異なり、一対の耳掛け部３０がマスク本体１０から離間している。
【００１１】
図１から図４のいずれかに示すように、本実施形態に係る温熱具１００は、両目を覆うマスク本体１０と、マスク本体１０に設けられた発熱体２０と、マスク本体１０を頭に装着するための装着部（例えば、一対の耳掛け部３０）と、マスク本体１０の上下方向における中央部の横幅方向における伸展性をマスク本体１０の上部及び下部の横幅方向における伸展性よりも高くする伸展構造部４０と、を備える。
これにより、使用者の顔サイズにかかわらずマスク本体１０が顔の目周りに対して適度にフィットしやすくなる（過度に密着しないようにできる）。また、マスク本体１０と顔との間に適度な間隙が形成されるため、発熱体２０を安定的に発熱させることが可能となる。
温熱具１００は伸展構造部４０を備えていることにより、温熱具１００の装着時などのようにマスク本体１０が横幅方向両側に引っ張られた際には、図６（ａ）及び図６（ｂ）に示すように、マスク本体１０が一方の面側に凸、他方の面側に凹の形状に湾曲しうる。なお、図６（ａ）においては、使用者の顔の横幅方向における中心位置でマスク本体１０を縦（上下方向）に切断したマスク本体１０の断面を示している。また、図６（ｂ）は図６（ａ）のＢ−Ｂ線に沿った断面図である。
【００１２】
本実施形態の場合、マスク本体１０において当該マスク本体１０の外形線よりも内側の位置に、一対のスリット４１（開口）が形成されている。各スリット４１は、上下方向に延在している。より詳細には、各スリット４１は、直線状に延在している。これらスリット４１によって、マスク本体１０の上下方向における中央部を横幅方向に伸展しやすくする伸展構造部４０が構成されている。
このように、本実施形態の場合、伸展構造部４０は、マスク本体１０に形成されていて当該マスク本体１０の外形線よりも内側に配置されている複数の開口（スリット４１）を有する。
ここで、開口とは、スリット又は貫通孔などのように、マスク本体１０を横幅方向に引っ張ったときに開口になりうる構造であり、本実施形態の場合、スリット４１である。
伸展構造部４０は、例えば、上下対称且つ横幅方向において対称（左右対称）となっている。
【００１３】
一対のスリット４１（複数の開口）、すなわち伸展構造部４０は、マスク本体１０の上下方向における中央部に配置されている。
ここで、マスク本体１０の上下方向における中央部とは、マスク本体１０の上縁から下方に離間していて、且つ、マスク本体１０の下縁から上方に離間している部分である。
本実施形態の場合、スリット４１は、発熱体２０の上縁よりも下方、且つ、発熱体２０の下縁よりも上方に配置されている。
また、マスク本体１０の上部とは、伸展構造部４０の形成領域の上端よりも上方の領域であり、マスク本体１０の下部とは、伸展構造部４０の形成領域の下端よりも下方の領域である。
伸展構造部４０がマスク本体１０の上下方向における中央部に配置されていることにより、温熱具１００の装着時などのようにマスク本体１０が横幅方向両側に引っ張られた際に、図６（ａ）に示すように、マスク本体１０が上下方向において湾曲しやすくなる。
【００１４】
また、一対のスリット４１（複数の開口）、すなわち伸展構造部４０は、マスク本体１０の横幅方向における中央部に配置されている。マスク本体１０の横幅方向における中央部とは、左右の固定部３３の間の部分であり、好ましくは、各発熱体２０の横幅方向における中央部よりも、マスク本体１０の横幅方向における中心寄りの部分である。本実施形態の場合、スリット４１は、左右の発熱体２０の間に配置されている。
伸展構造部４０がマスク本体１０の横幅方向における中央部に配置されていることにより、温熱具１００の装着時などのようにマスク本体１０が横幅方向両側に引っ張られた際に、図６（ｂ）に示すように、マスク本体１０が横幅方向において湾曲しやすくなる。
【００１５】
マスク本体１０は、例えば、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている。また、左目覆い部１０ａと右目覆い部１０ｂとは、互いにほぼ同一の形状及び寸法に形成されている。左目覆い部１０ａと右目覆い部１０ｂとは、図１及び図２において、左右に並んで配置されている。
なお、本実施形態では、左目覆い部１０ａと右目覆い部１０ｂとの境界位置に上側スリット１４及び下側スリット１５が形成されているが、本発明は、この例に限らず、マスク本体１０は上側スリット１４及び下側スリット１５を有していなくてもよい。この場合、マスク本体１０の横幅方向における中心位置でマスク本体１０を左右に二分割したときの左側部分が左目覆い部１０ａ、右側部分が右目覆い部１０ｂとなる。
【００１６】
また、本明細書において、横幅方向とは、図１及び図２に示すようにマスク本体１０を平坦にした状態において、左目覆い部１０ａと右目覆い部１０ｂとの並び方向に一致する方向である。
また、横幅方向は、一対の耳掛け部３０を展開して温熱具１００の全体を平坦にした状態において、一方の耳掛け部３０から他方の耳掛け部３０に向かう方向とも一致している。
すなわち、横幅方向は、図１及び図２における左右方向である。
【００１７】
また、本明細書において、上側とは、直立した使用者が温熱具１００を着用した状態で上側となる方向を意味し、下側とは、直立した使用者が温熱具１００を着用した状態で下側となる方向を意味する。上側及び下側は、図１及び図２における上側及び下側である。
【００１８】
マスク本体１０は、横長の形状に形成されている。
マスク本体１０は、可撓性の（柔軟な）シート材により構成されている。
マスク本体１０は、伸展性を有していてもよいし、有していなくてもよい。また、マスク本体１０は、伸縮性を有していてもよいし、有していなくてもよい。
マスク本体１０が伸展性又は伸縮性を有する場合、横幅方向に伸展性又は伸縮性を有することが好ましい。
【００１９】
より詳細には、マスク本体１０は、温熱具１００の着用時に顔側に位置する第１シート１１と、着用時に顔とは反対側に位置する第２シート１２と、を備えて構成されている。第１シート１１及び第２シート１２の各々は、単層のシートにより構成されていてもよいし、複数のシートの積層体であってもよい。
マスク本体１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００２０】
第１シート１１と第２シート１２とは、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
接合部１３は、例えば、マスク本体１０の（第１シート１１及び第２シート１２の）周縁部の全周と、マスク本体１０の横幅方向における中央部の上端から下端に亘る範囲と、に配置されている。すなわち、接合部１３は、左目覆い部１０ａの周縁部と、右目覆い部１０ｂの周縁部と、に配置されている。
【００２１】
なお、各スリット４１は、第１シート１１及び第２シート１２に形成されており、第１シート１１のスリット４１と第２シート１２のスリット４１とは、平面視において互いに重なっている。
【００２２】
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８を構成している。
同様に、右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
すなわち、温熱具１００は、左右一対の発熱体２０を備えており、一方の発熱体２０は左目覆い部１０ａの収容空間１８に、他方の発熱体２０は右目覆い部１０ｂの収容空間１８に、それぞれ収容されている。よって、左右の発熱体２０は、マスク本体１０の内部に保持されている。
なお、使用者が温熱具１００を着用したときに、左目覆い部１０ａが左目を覆うとともに左目覆い部１０ａ内の発熱体２０が左目を覆うように、また、右目覆い部１０ｂが右目を覆うとともに右目覆い部１０ｂ内の発熱体２０が右目を覆うように、左右の発熱体２０が配置されている。
【００２３】
マスク本体１０の横幅方向における中央部の上縁部には、マスク本体１０の上縁から下方に延びる上側スリット１４が形成されている。マスク本体１０の横幅方向における中央部の下縁部には、マスク本体１０の下縁から上方に延びる下側スリット１５が形成されている。
本実施形態の場合、上側スリット１４の長さ寸法（上下寸法）よりも下側スリット１５の長さ寸法（上下寸法）の方が大きい。すなわち、上側スリット１４よりも下側スリット１５の方が深い。
上側スリット１４は、第１シート１１及び第２シート１２に形成されており、第１シート１１の上側スリット１４と第２シート１２の上側スリット１４とは、平面視において互いに重なっている。
同様に、下側スリット１５は、第１シート１１及び第２シート１２に形成されており、第１シート１１の下側スリット１５と第２シート１２の下側スリット１５とは、平面視において互いに重なっている。
上側スリット１４及び下側スリット１５は、左目覆い部１０ａと右目覆い部１０ｂとの境界位置に配置されている。
なお、マスク本体１０は、上側スリット１４及び下側スリット１５の代わりに、マスク本体１０が切り欠かれた形状の切欠形状部を中央部の上下に有していてもよい。
【００２４】
発熱体２０は、例えば図４に示すように、第１被覆シート２１と、第２被覆シート２２と、第１被覆シート２１と第２被覆シート２２との間に保持されているシート状の発熱部２３と、を備えて構成されている。
発熱体２０の平面形状は、特に限定されないが、例えば、角丸の略正方形状に形成されている。
【００２５】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１及び第２被覆シート２２の平面形状は、例えば、それぞれ角丸の略正方形状に形成されている。
第１被覆シート２１と第２被覆シート２２とのうち、第１被覆シート２１は、第１シート１１側、すなわち温熱具１００の着用時に顔側となる方に配置されており、第２被覆シート２２は、第２シート１２側、すなわち着用時に顔側とは反対側となる方に配置されている。
【００２６】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２７】
発熱体２０は、図１及び図４に示す接合部２４において、マスク本体１０に対して接合されている。接合部２４は、発熱体２０の横幅方向における一部の領域に配置されている。なお、図１においては、平面視において接合部２４が存在する領域にハッチングを付している。
【００２８】
なお、発熱体２０の剛性は、マスク本体１０の剛性に比して大きく、発熱体２０はマスク本体１０と比べて変形しにくい。
ここで、接合部２４は発熱体２０の横幅方向における一部の領域に配置されているため、マスク本体１０の伸縮が発熱体２０によって拘束される範囲を制限でき、発熱体２０における接合部２４以外の部位は、マスク本体１０に対して相対的に移動可能となる。よって、マスク本体１０が伸展性又は伸縮性を有する場合、マスク本体１０において接合部２４以外の部位は、容易に伸展又は伸縮できるようになっている。
【００２９】
より詳細には、接合部２４は、例えば、各発熱体２０において、マスク本体１０の横幅方向における中心側の端縁に配置されている。
更に詳細には、例えば、発熱体２０の第２被覆シート２２の外面のうち、マスク本体１０の横幅方向における中心側の端縁が、当該端縁の上端から下端に亘って、第２シート１２の内面に対して接合部２４において接合している。
【００３０】
ただし、本発明において、接合部２４は発熱体２０の全面に亘って配置されていても良い。
また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。
同様に、第２シート１２の内面は、全面に亘って、発熱体２０又は第１シート１１に対して接合部２４又は接合部１３において接合していてもよい。
つまり、発熱体２０の片面又は両面が、全面に亘って、第１シート１又は第２シート１２に対して接合されていても良い。
【００３１】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００３２】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００３３】
一対の耳掛け部３０の各々は、可撓性の（柔軟な）シート材である耳掛け部構成シート３１により構成されている。
耳掛け部３０は、横幅方向に伸展性を有している。耳掛け部３０は、横幅方向に伸縮性を有することが更に好ましい。
耳掛け部構成シート３１は、単層のシートにより構成されていてもよいし、複数のシートの積層体であってもよい。
耳掛け部構成シート３１としては、不織布等の繊維材料からなる繊維シートを用いることができる。
【００３４】
一対の耳掛け部３０の各々の一端部が、固定部３３においてマスク本体１０の横幅方向における両端部に対して固定されている。すなわち、一方の耳掛け部３０の一端部が、固定部３３において左目覆い部１０ａの一端部に対して固定されている。同様に、他方の耳掛け部３０の一端部が、固定部３３において右目覆い部１０ｂの一端部に対して固定されている。
より詳細には、例えば、図４に示すように、耳掛け部３０は、第１シート１１において顔側となる面に対して固定部３３にて接合により固定されている。
マスク本体１０に対する耳掛け部３０の固定は、ヒートシールによってなされていてもよいし、粘着又は接着によりなされていてもよい。
【００３５】
なお、以下の説明では、耳掛け部３０において、マスク本体１０側（左目覆い部１０ａ側又は右目覆い部１０ｂ側）を基端（基端側）、マスク本体１０から遠い側を先端（先端側）と称する場合がある。つまり、耳掛け部３０における基端側の部位がマスク本体１０に対して固定部３３にて固定されている。
【００３６】
耳掛け部３０の平面形状は特に限定されないが、例えば、左目覆い部１０ａ及び右目覆い部１０ｂと同様の形状に形成されている。
例えば、図３に示すように温熱具１００が折り畳まれた状態（展開される前の状態）において、左目覆い部１０ａ及び右目覆い部１０ｂのそれぞれに対して、一方ずつの耳掛け部３０が重なる。
【００３７】
また、図３の状態では、例えば、一対の耳掛け部３０の先端どうしが繋がっている。一対の耳掛け部３０の先端には、上下に延在する易破断部３７が形成されている。温熱具１００の使用時には、耳掛け部３０を構成する耳掛け部構成シート３１を易破断部３７に沿って容易に破断し、一対の耳掛け部３０どうしを分離させることができるようになっている。
この易破断部３７は、例えば、耳掛け部３０を構成する耳掛け部構成シート３１に形成されたハーフカット溝又はミシン目により構成されている。
【００３８】
一対の耳掛け部３０の各々は、当該耳掛け部３０を耳に掛けるための耳掛け用開口３２を有している。
本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。
耳掛け用開口３２の形状は特に限定されないが、例えば、耳掛け用開口３２は横幅方向に長尺に形成されている。また、耳掛け用開口３２の上下幅寸法は、耳掛け部３０の先端側に向けて広がっている。
耳掛け用開口３２は、例えば、上下方向において耳掛け部３０の中央部に配置されている。
このように、装着部は、マスク本体１０の横幅方向における両端部に対して各々の一端部が固定されていて耳に掛けられる一対の耳掛け部３０により構成されており、一対の耳掛け部３０の各々は、当該耳掛け部３０を耳に掛けるための耳掛け用開口３２を有している。
ここで、図１に示すように、耳掛け用開口３２におけるマスク本体１０側の端３２ａの上下位置が、伸展構造部４０の上端Ｈ１と下端Ｈ２との間に配置されている。
【００３９】
端３２ａは、耳掛け部３０における固定部３３の近傍の部位に配置されている。
より詳細には、端３２ａは、温熱具１００の着用時にマスク本体１０と重なる位置に配置されている。すなわち、図１のように温熱具１００の全体を平坦にして耳掛け部３０を展開した状態において、端３２ａがマスク本体１０と重なるようになっている。
【００４０】
一対の耳掛け部３０の各々は、それぞれ耳掛け用開口３２と連続する第１耳掛け用スリット３４、第２耳掛け用スリット３５及び第３耳掛け用スリット３６を有している。
このうち第１耳掛け用スリット３４は、耳掛け用開口３２の下縁から下方に延びている。
第２耳掛け用スリット３５は、耳掛け用開口３２の先端縁の下部から先端側に向けて斜め下に延びている。
第３耳掛け用スリット３６は、耳掛け用開口３２の先端縁の上部から先端側に向けて斜め上に延びている。
例えば、第２耳掛け用スリット３５よりも第１耳掛け用スリット３４の方が長く、第２耳掛け用スリット３５よりも第３耳掛け用スリット３６の方が短い。
【００４１】
温熱具１００は、使用前の状態では、軟質包装材により構成された包装袋（不図示）に封入されている。使用時に包装袋から温熱具１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者が温熱具１００を着用することによって、この水蒸気が使用者の顔面に供給されるようになっている。これにより、使用者は、あたかも蒸しタオルで使用者の顔面を温めるかのような心地よさを感じることができる。
このように、本実施形態に係る温熱具１００は、蒸気温熱具である。
【００４２】
温熱具１００の使用時には、マスク本体１０の第１シート１１を顔側にして、左目覆い部１０ａ及び右目覆い部１０ｂをそれぞれ左右の目の周りにあてがい、一対の耳掛け部３０をそれぞれ左右の耳に引っ掛ける。すなわち、一対の耳掛け部３０の耳掛け用開口３２を左右の耳にそれぞれ引っ掛ける。
【００４３】
なお、耳掛け用開口３２の周囲には第１耳掛け用スリット３４、第２耳掛け用スリット３５及び第３耳掛け用スリット３６（図１等参照）が形成されているため、耳掛け部３０が線ではなく面で耳に当たるようにでき、耳に対する耳掛け部３０の触感がよりソフトになる。
また、マスク本体１０の横幅方向の中央部の上縁部と下縁部にはそれぞれ上側スリット１４及び下側スリット１５が形成されているので、顔の形状に沿って温熱具１００が変形しやすく、温熱具１００のフィット感が向上する。特に、下側スリット１５が形成されていることにより、マスク本体１０と鼻との干渉を抑制することができる。
【００４４】
ここで、使用者が左右の耳掛け部３０を耳に引っ掛けて温熱具１００を装着することにより、マスク本体１０が横幅方向に引っ張られた状態となる。
これにより、図５に示すように、各スリット４１が横幅方向に開いてマスク本体１０が伸展構造部４０において横幅方向に伸展するとともに、マスク本体１０が一方の面側に凸、他方の面側に凹の形状に湾曲しうる（図６（ａ）、図６（ｂ）参照）。
【００４５】
ここで、上述のように、耳掛け用開口３２におけるマスク本体１０側の端３２ａの上下位置が、複数のスリット４１の配置領域の上端Ｈ１と下端Ｈ２との間に配置されている。このような構造により、マスク本体１０が一方の面側に凸、他方の面側に凹の形状に湾曲しやすくなっている。
なぜなら、耳掛け部３０がマスク本体１０を引っ張る力の主要なロードパスは、耳掛け用開口３２の内周縁に沿った部分により構成されることから、耳掛け部３０がマスク本体１０を引っ張る力は、端３２ａの近傍に集中しやすいためである。
これにより、温熱具１００の装着時に、マスク本体１０の上下方向における中央部に配置されているスリット４１がより横幅方向に開きやすくなることから、マスク本体１０が立体的に湾曲しやすくなる。
特に、端３２ａが耳掛け部３０における固定部３３の近傍の部位に配置されていることによって、より一層、温熱具１００の装着時にスリット４１が横幅方向に開きやすくなる。
【００４６】
なお、顔の形状は、概ね、顔の前方に向けて凸であるため、温熱具１００を顔に装着したときに、図６（ａ）及び図６（ｂ）に示すように、自ずと、マスク本体１０が顔の前方に向けて凸となる。
【００４７】
これにより、使用者の顔サイズにかかわらずマスク本体１０が顔の目周りに対して適度にフィットしやすくなる（過度に密着しないようにできる）とともに、マスク本体１０と顔との間に適度な間隙が形成される（図６（ａ）及び図６（ｂ）参照）。
このため、発熱体２０の発熱性能は、主として、発熱体２０の外表面を構成する第１被覆シート２１又は第２被覆シート２２の通気性を調節することによって制御できる。よって、顔サイズの相違により間隙の大きさが多少変動したとしても、発熱体２０の安定的な発熱が可能となる。
また、発熱体２０が局所的に高温になってしまうことも抑制できる。更に、顔に対して蒸気を均一に供給しやすくなる。
【００４８】
以上のような第１実施形態に係る温熱具１００によれば、マスク本体１０の上下方向における中央部の横幅方向における伸展性をマスク本体１０の上部及び下部の横幅方向における伸展性よりも高くする伸展構造部４０と、を備える。よって、使用者の顔サイズにかかわらずマスク本体１０が顔の目周りに対して適度にフィットしやすくなるとともに、発熱体２０を安定的に発熱させることが可能となる。
【００４９】
以下、第１実施形態の複数の変形例についてそれぞれ図面を用いて説明する。
各変形例においても、温熱具は、マスク本体１０の上下方向における中央部の横幅方向における伸展性をマスク本体１０の上部及び下部の横幅方向における伸展性よりも高くする伸展構造部４０を備えている。
各変形例においても、温熱具の装着時などのようにマスク本体１０が横幅方向両側に引っ張られた際には、マスク本体１０が一方の面側に凸、他方の面側に凹の形状に湾曲しうる。
また、各変形例においても、伸展構造部４０は、マスク本体１０の上下方向における中央部に配置されている。
また、各変形例においても、伸展構造部４０は、マスク本体１０の横幅方向における中央部に配置されている。
また、例えば、各変形例においても、伸展構造部４０は、上下対称且つ横幅方向において対称（左右対称）となっている。
【００５０】
＜第１実施形態の変形例１＞
図７（ａ）は第１実施形態の変形例１に係る温熱具のマスク本体１０の平面図である。
変形例１に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、上下方向において同一直線上に並ぶ複数のスリット４１によりそれぞれ構成されている複数のスリット列４２及び複数のスリット列４３を含んで構成されている。
各スリット列４２は、例えば、４つのスリット４１により構成されている。各スリット列４３も４つのスリット４１により構成されている。
伸展構造部４０は、４つのスリット列４２と、３つのスリット列４３とを含んでおり、横幅方向において、スリット列４３とスリット列４２とが交互に配置されている。
また、各スリット列４２の上端は、各スリット列４３の上端に対して上方にずれて配置されており、各スリット列４２の下端は、各スリット列４３の下端に対して上方にずれて配置されている。
【００５１】
＜第１実施形態の変形例２＞
図７（ｂ）は第１実施形態の変形例２に係る温熱具のマスク本体１０の平面図である。
変形例２に係る温熱具は、伸展構造部４０の構造が上記の変形例１に係る温熱具と相違しており、その他の点では変形例１に係る温熱具１００と同様に構成されている。
本変形例の場合、各スリット列４２は、例えば、３つのスリット４１により構成されている。
また、各スリット列４２の上端は、各スリット列４３の上端に対して下方にずれて配置されており、各スリット列４２の下端は、各スリット列４３の下端に対して上方にずれて配置されている。
【００５２】
＜第１実施形態の変形例３＞
図７（ｃ）は第１実施形態の変形例３に係る温熱具のマスク本体１０の平面図である。
変形例３に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、上下方向において同一直線上に並ぶ複数のスリット４１によりそれぞれ構成されている複数のスリット列４６と、他の複数のスリット４１と、を含んで構成されている。
各スリット列４６は、例えば、２つのスリット４１により構成されている。
伸展構造部４０は、４つのスリット列４６と、他の４つのスリット４１とを含んでおり、横幅方向において、図７（ｃ）の左側から順に、スリット列４６、スリット４１、スリット列４６、スリット４１、スリット４１、スリット列４６、スリット４１及びスリット列４６の順で配置されている。
なお左右両端の２つのスリット列４６よりも、中央の２つのスリット列４６の方が上下に長い。
また、左右両端のスリット４１よりも、中央の２つのスリット４１の方が上下に長い。
【００５３】
＜第１実施形態の変形例４＞
図７（ｄ）は第１実施形態の変形例４に係る温熱具のマスク本体１０の平面図である。
変形例４に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、上下方向において同一直線上に並ぶ複数のスリット４１によりそれぞれ構成されている複数のスリット列４６と、他の複数のスリット４１を含んで構成されている。
各スリット列４６は、例えば、２つのスリット４１により構成されている。
伸展構造部４０は、２つのスリット列４６と、他の３つのスリット４１とを含んでおり、横幅方向において、図７（ｄ）の左側から順に、スリット４１、スリット列４６、スリット４１、スリット列４６及びスリット４１の順で配置されている。
また、左右両端の２つのスリット４１よりも、中央の１つのスリット４１の方が上下に長い。
【００５４】
＜第１実施形態の変形例５＞
図８（ａ）は第１実施形態の変形例５に係る温熱具のマスク本体１０の平面図である。
変形例５に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、上下方向に曲線状に延在する複数の曲線スリット５１（開口）と直線状のスリット４１との組み合わせにより構成されている。
伸展構造部４０は、上下に並ぶ複数の曲線スリット５１によりそれぞれ構成されている複数のスリット列５２と、他の曲線スリット５１と、スリット４１と、を含んで構成されている。
なお、各曲線スリット５１は、第１シート１１（図４参照）及び第２シート１２（図４参照）に形成されており、第１シート１１の曲線スリット５１と第２シート１２の曲線スリット５１とは、平面視において互いに重なっている。
各スリット列５２は、例えば、２つの曲線スリット５１により構成されている。
伸展構造部４０は、４つのスリット列５２と、他の４つの曲線スリット５１と、１つのスリット４１と、を含んで構成されている。
横幅方向において、図８（ａ）の左側から順に、曲線スリット５１、スリット列５２、曲線スリット５１、スリット列５２、スリット４１、スリット列５２、曲線スリット５１、スリット列５２及び曲線スリット５１の順で配置されている。
【００５５】
＜第１実施形態の変形例６＞
図８（ｂ）は第１実施形態の変形例６に係る温熱具のマスク本体１０の平面図である。
変形例６に係る温熱具は、伸展構造部４０の構造が上記の変形例５に係る温熱具１００と相違しており、その他の点では変形例５に係る温熱具１００と同様に構成されている。
本変形例の場合、伸展構造部４０は、８つのスリット列５２と、他の６つの曲線スリット５１と、１つのスリット４１と、を含んで構成されている。
横幅方向において、図８（ｂ）の左側から順に、スリット列５２、曲線スリット５１、スリット列５２、曲線スリット５１、スリット列５２、曲線スリット５１、スリット列５２、スリット４１、スリット列５２、曲線スリット５１、スリット列５２、曲線スリット５１、スリット列５２、曲線スリット５１及びスリット列５２の順で配置されている。
【００５６】
＜第１実施形態の変形例７＞
図８（ｃ）は第１実施形態の変形例７に係る温熱具のマスク本体１０の平面図である。
変形例７に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、上下方向に曲線状に延在する複数の曲線スリット５１と上下方向に直線状に延在するスリット４１との組み合わせにより構成されている。
伸展構造部４０は、２つの曲線スリット５１と７つのスリット４１とを含んで構成されている。これら９つのスリットは、横幅方向における両端にそれぞれ曲線スリット５１が位置するように、横幅方向に並んで配置されている。
【００５７】
＜第１実施形態の変形例８＞
図９（ａ）は第１実施形態の変形例８に係る温熱具のマスク本体１０の平面図である。
変形例８に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、複数の貫通孔５５（開口）を含んで構成されている。
なお、各貫通孔５５は、第１シート１１（図４参照）及び第２シート１２（図４参照）に形成されており、第１シート１１の貫通孔５５と第２シート１２の貫通孔５５とは、平面視において互いに重なっている。
例えば、上下方向に並ぶ複数の貫通孔５５により構成された孔列５６が、３列配置されている。
すなわち、本変形例の場合、伸展構造部４０は、マスク本体１０に形成されていて当該マスク本体１０の外形線よりも内側に配置されている複数の開口（貫通孔５５）を有する。
【００５８】
＜第１実施形態の変形例９＞
図９（ｂ）は第１実施形態の変形例９に係る温熱具のマスク本体１０の平面図である。
変形例９に係る温熱具は、伸展構造部４０の構造が上記の第１実施形態に係る温熱具１００と相違しており、その他の点では第１実施形態に係る温熱具１００と同様に構成されている。
本変形例の場合、伸展構造部４０は、複数のひだ５７を含んで構成されている。
なお、ひだ５７は、第１シート１１（図４参照）及び第２シート１２（図４参照）に形成されており、第１シート１１においてひだ５７が形成された領域と、第２シート１２においてひだ５７が形成された領域とは、平面視において互いに重なっている。
このように、本変形例の場合、伸展構造部４０は、マスク本体１０に形成されていて当該マスク本体１０の外形線よりも内側に配置されている複数のひだ５７を有する。
【００５９】
〔第２実施形態〕
次に、図１０を用いて第２実施形態を説明する。
本実施形態に係る温熱具１００は、以下に説明する点で、上記の第１実施形態に係る温熱具１００と相違しており、その他の点では、上記の第１実施形態に係る温熱具１００と同様に構成されている。
【００６０】
本実施形態の場合、固定部３３の上下位置は、伸展構造部４０の上端Ｈ１と下端Ｈ２との間の位置に設定されている。
すなわち、装着部は、マスク本体１０の横幅方向における両端部に対して各々の一端部が固定されていて耳に掛けられる一対の耳掛け部３０により構成されており、マスク本体１０に対する耳掛け部３０の固定部３３の上下位置が、伸展構造部４０の上端Ｈ１と下端Ｈ２との間に配置されている。
より詳細には、固定部３３の上端は、上端Ｈ１よりも下方に位置し、固定部３３の下端は、下端Ｈ２よりも上方に位置している。
【００６１】
このような構造により、温熱具１００を装着したときに、マスク本体１０が一方の面側に凸、他方の面側に凹の形状に湾曲しやすくなっている。
なぜなら、耳掛け部３０がマスク本体１０を引っ張る力は、固定部３３に集中するためである。
これにより、マスク本体１０の上下方向における中央部に配置されている伸展構造部４０がより横幅方向に伸展しやすくなることから、マスク本体１０が立体的に湾曲しやすくなる。
【００６２】
〔第３実施形態〕
次に、図１１を用いて第３実施形態を説明する。
本実施形態に係る温熱具１００は、以下に説明する点で、上記の第１実施形態に係る温熱具１００と相違しており、その他の点では、上記の第１実施形態に係る温熱具１００と同様に構成されている。
【００６３】
本実施形態の場合、固定部３３は、互いに上下に離間した複数の部分を含んで構成されており、且つ、そのうち１つ以上の部分の上下位置が、伸展構造部４０の上端Ｈ１と下端Ｈ２との間に配置されている。  
より詳細には、固定部３３は、第１部分３３ａ、第２部分３３ｂ及び第３部分３３ｃの３つの部分により構成されており、第２部分３３ｂは第１部分３３ａの上方に配置され、第３部分３３ｃは第１部分３３ａの下方に配置されている。
そして、第１部分３３ａの上下位置が、伸展構造部４０の上端Ｈ１と下端Ｈ２との間に配置されている。
【００６４】
ここで、耳掛け部３０がマスク本体１０を横幅方向に引っ張る際に、第１部分３３ａがマスク本体１０を引っ張る力Ｆ１が、第２部分３３ｂがマスク本体１０を引っ張る力Ｆ２と第３部分３３ｃがマスク本体１０を引っ張る力Ｆ３との合力よりも大きくなっている。
これにより、マスク本体１０の上下方向における中央部が、マスク本体１０の上部及び下部と比べて、より横幅方向に引っ張られる。よって、マスク本体１０の上下方向における中央部に配置されている伸展構造部４０がより横幅方向に伸展しやすくなることから、マスク本体１０が立体的に湾曲しやすくなる。
【００６５】
例えば、図１１に示すように、第１部分３３ａ、第２部分３３ｂ及び第３部分３３ｃのうち、第１部分３３ａの面積が最も大きいことにより、力Ｆ１が力Ｆ２と力Ｆ３との合力よりも大きい構成を容易に実現できる。
【００６６】
本発明は上記の実施形態に限定されるものではなく、本発明の目的が達成される限りにおける種々の変形、改良等の態様も含む。
【００６７】
例えば、発熱体２０は、蒸気を放出しない発熱性のものであってもよい。したがって、温熱具１００は、蒸気温熱具ではなく、単なる温熱具であってもよい。
【００６８】
また、上記の各実施形態及び変形例は、本発明の主旨を逸脱しない範囲で、適宜に組み合わせることができる。
【００６９】
上記実施形態は、以下の技術思想を包含する。
＜１＞両目を覆うマスク本体と、
前記マスク本体に設けられた発熱体と、
前記マスク本体を頭に装着するための装着部と、
前記マスク本体の上下方向における中央部の横幅方向における伸展性を、前記マスク本体の上部及び下部の横幅方向における伸展性よりも高くする伸展構造部と、
を備える温熱具。
＜２＞前記伸展構造部は、前記マスク本体に形成されていて当該マスク本体の外形線よりも内側に配置されている複数の開口又はひだを有する＜１＞に記載の温熱具。
＜３＞前記伸展構造部は、前記マスク本体の上下方向における中央部に配置されている＜１＞又は＜２＞に記載の温熱具。
＜４＞前記伸展構造部は、前記マスク本体の横幅方向における中央部に配置されている＜１＞から＜３＞のいずれか一項に記載の温熱具。
＜５＞前記装着部は、前記マスク本体の横幅方向における両端部に対して各々の一端部が固定されていて耳に掛けられる一対の耳掛け部により構成されており、
前記マスク本体に対する前記耳掛け部の固定部の上下位置が、前記伸展構造部の上端と下端との間に配置されている＜１＞から＜４＞のいずれか一項に記載の温熱具。
＜６＞前記装着部は、前記マスク本体の横幅方向における両端部に対して各々の一端部が固定されていて耳に掛けられる一対の耳掛け部により構成されており、
前記一対の耳掛け部の各々は、当該耳掛け部を耳に掛けるための耳掛け用開口を有し、
前記耳掛け用開口における前記マスク本体側の端の上下位置が、前記伸展構造部の上端と下端との間に配置されている＜１＞から＜５＞のいずれか一項に記載の温熱具。
【符号の説明】
【００７０】
１０  マスク本体
１０ａ  左目覆い部
１０ｂ  右目覆い部
１１  第１シート
１２  第２シート
１３  接合部
１４  上側スリット
１５  下側スリット
１８  収容空間
２０  発熱体
２１  第１被覆シート
２２  第２被覆シート
２３  発熱部
２４  接合部
３０  耳掛け部
３１  耳掛け部構成シート
３２  耳掛け用開口
３２ａ  端
３３  固定部
３３ａ  第１部分
３３ｂ  第２部分
３３ｃ  第３部分
３４  第１耳掛け用スリット
３５  第２耳掛け用スリット
３６  第３耳掛け用スリット
３７  易破断部
４０  伸展構造部
４１  スリット（開口）
４２、４３、４６、５２  スリット列
５１  曲線スリット（開口）
５５  貫通孔（開口）
５６  孔列
５７  ひだ
１００  温熱具
【図１】
2018108199.tif 000003
【図２】
2018108199.tif 000004
【図３】
2018108199.tif 000005
【図４】
2018108199.tif 000006
【図５】
2018108199.tif 000007
【図６】
2018108199.tif 000008
【図７】
2018108199.tif 000009
【図８】
2018108199.tif 000010
【図９】
2018108199.tif 000011
【図１０】
2018108199.tif 000012
【図１１】
2018108199.tif 000013